(57)【特許請求の範囲】
【請求項１】
ゴルフクラブのシャフトに嵌着されているグリップを取り外すにあたりその先端部からグリップエンドに向かって切断するためのグリップカッターであって、
基板上に設けた第１及び第２の両レール取付台間にガイドレールの両端部を固定し、ガイドレールには、切断刃を保持して基板上を摺動する可動台をスライド自在に取り付け、基台上にはガイドレールに沿った位置で切断刃の刃先部が可動台から突出する側に、シャフトのグリップ部分をガイドレールと平行に保持するシャフト保持手段を設け、シャフト保持手段は、第１レール取付台側近傍でグリップより先方側シャフト部分を載せて支持する支持ブロックと、第２レール取付台側近傍でグリップエンドの空気抜き孔に係合ピンを係合させてシャフトのグリップ部分を固定する固定ブロックとからなり、この保持手段によってシャフトのグリップ部分を保持した状態で、刃先部をシャフトに添接させながら可動台を第１レール取付台側から第２取付台側へ移動させることによってグリップを切断するようにしたグリップカッター。
【請求項２】
第２レール取付台をガイドレールと直交する方向に変位可能に基板上に取り付けてなる請求項１に記載のグリップカッター。
【請求項３】
可動台と第１レール取付台との対向部分に、可動台が第１レール取付台に当接した位置で磁気吸引力により互いに吸着して可動台をその位置に保持するための磁石を設けてなる請求項１又は２に記載のグリップカッター。
【請求項４】
シャフト保持手段の支持ブロックには、可動台を第１レール取付台に当接させた位置で可動台から突出する切断刃の刃先部を収納する凹部を設けてなる請求項１〜３の何れかに記載のグリップカッター。
【請求項５】
シャフト保持手段の支持ブロックは、グリップの先方側シャフト部分を載置する台座部と、台座部のガイドレール側寄りの端部から立ち上がって、前記シャフト部分の側面部を支持する立上壁部とからなる請求項１〜４の何れかに記載のグリップカッター。
【請求項６】
可動台にはこれをガイドレールに沿ってスライド操作するための把手を設けてなる請求項１〜５の何れかに記載のグリップカッター。
【発明の詳細な説明】
【技術分野】
【０００１】
本発明は、ゴルフクラブなどのシャフトに嵌着されているグリップを取り外すにあたって、そのグリップの側壁部を先端からグリップエンドに向かって切断するためのグリップカッターに関するものである。
【背景技術】
【０００２】
ゴルフクラブのグリップは、天然ゴム又は合成ゴムによって有底長筒状に形成されたもので、クラブシャフトの基端部側に嵌合されると共に、シャフト側に予め貼り付けられた両面テープによって固着される。そして、ゴルフクラブの使用によりグリップが磨り減るなどしてグリップを取り換える時に、従来では、図５に示すように、ハンドグリップカッターＫを使用して、このカッターＫを手でゴルフクラブ１のグリップ３の先端部３ａからグリップエンド３ｂまで動かしながら切断していた。このハンドグリップカッターＫは、ホルダーＨの先端側に先端部がフック形状の切断刃Ｆを取り付けたもので、一方の手でクラブ１のシャフト２の所要部を持ち、他方の手でホルダーＨを把持して、図５に示すように切断刃Ｆのフック状先端部ｆをグリップ３の先端部３ａに引っ掛けた状態で切り込み、そのままグリップエンド３ｂに向かって切断刃Ｆを移動させながら切断し、グリップエンド３ｂまで切断したならば、シャフト２を軸芯周りに反転させて、既切断部の直径方向反対側を上記同様に切断した後、この切断したグリップ３をシャフト２から引き剥がすようにしている。
【発明の概要】
【発明が解決しようとする課題】
【０００３】
従来のハンドグリップカッターＫは、上記のように、一方の手でシャフト２の所要部を掴み、他方の手でホルダーＨを把持して、切断刃Ｆの先端部ｆでグリップ３を切り込んでいくと共に、切断刃Ｆの刃先部分をシャフト２に押し付けるようにしながら切断していくために、刃先部分の押し付け加減が難しく、熟練を要する上に、切断刃Ｆの押し付け時に刃先部分が滑って、シャフト２を掴んでいる手をケガするなど非常に危険であった。
【０００４】
本発明は、上記の事情に鑑み、グリップの切断を安全に的確に行えるグリップカッターを提供することを目的としている。
【課題を解決するための手段】
【０００５】
上記課題を解決するための手段を、後述する実施形態の参照符号を付して説明すると、請求項１に係る発明は、ゴルフクラブ１のシャフト２に嵌着されているグリップ３を取り外すにあたりその先端部３ａからグリップエンド３ｂに向かって切断するためのグリップカッターであって、
基板４上に設けた第１及び第２の両レール取付台５Ａ，５Ｂ間にガイドレール６の両端部を固定し、ガイドレール６には、切断刃７を保持して基板４上を摺動する可動台８をスライド自在に取り付け、基台４上にはガイドレール６に沿った位置で切断刃７の刃先部７ａが可動台８から突出する側にシャフト２のグリップ３部分をガイドレール６と平行に保持するシャフト保持手段９を設け、シャフト保持手段９は、第１レール取付台５Ａ側近傍でグリップ３より先方側シャフト２部分を載せて支持する支持ブロック１０と、第２レール取付台５Ｂ側近傍でグリップエンド３ｂの空気抜き孔３ｏに係合ピン１１を係合させてシャフト２のグリップ３部分を固定する固定ブロック１２とからなり、この保持手段９によってシャフト２のグリップ３部分を保持した状態で、刃先部７ａをシャフト２に添接させながら可動台８を第１レール取付台５Ａ側から第２レール取付台５Ｂ側へ移動させることによってグリップ３を切断するようにしたことを特徴とする。
【０００６】
請求項２は、請求項１に記載のグリップカッターにおいて、第２レール取付台５Ｂをガイドレール６と直交する方向に変位可能に基板４上に取り付けてなることを特徴としている。
【０００７】
請求項３は、請求項１又は２に記載のグリップカッターにおいて、可動台８と第１レール取付台５Ａとの対向部分に、可動台８が第１レール取付台５Ａに当接した位置で磁気吸引力により互いに吸着して可動台８をその位置に保持するための磁石２３を設けてなることを特徴とする。
【０００８】
請求項４は、請求項１〜３の何れかに記載のグリップカッターにおいて、シャフト保持手段９の支持ブロック１０には、可動台８を第１レール取付台５Ａに当接させた位置で可動台８から突出する切断刃７の刃先部７ａを収納する凹部２５を設けてなることを特徴とする。
【０００９】
請求項５は、請求項１〜４の何れかに記載のグリップカッターにおいて、シャフト保持手段９の支持ブロック１０は、グリップ３の先方側シャフト２部分を載置する台座部１０ａと、台座部１０ａのガイドレール６側寄りの端部から立ち上がって、前記シャフト２部分の側面部を支持する立上壁部１０ｂとからなることを特徴とする。
【００１０】
請求項６は、請求項１〜５の何れかに記載のグリップカッターにおいて、可動台８にはこれをガイドレール６に沿ってスライド操作するための把手２１を設けてなることを特徴とする。
【発明の効果】
【００１１】
上記解決手段による発明の効果を、後述する実施形態の参照符号を付して説明すると、請求項１に係る発明によれば、グリップ３より先方側シャフト２部分を支持ブロック１０の台座部１０ａ上に載せた状態で、グリップエンド３ｂの空気抜き孔３ｏに固定ブロック１２の係合ピン１１を係合させることによって、シャフト２のグリップ３部分を固定し、こうしてシャフト２のグリップ３部分をシャフト保持手段９により保持した状態で、切断刃７の刃先部７ａをグリップ３の先端部３ａに食い付かせ、この刃先部７ａの先端をシャフト２に軽く添接させながら、可動台８をガイドレール６に沿って第２レール取付台５Ｂ側へとスライドさせることにより、グリップ３をその先端部３ａからグリップエンド３ｂまで直線状に一気に切断することができると共に、このグリップ３の切断を安全に的確に行うことができる。
【００１２】
請求項２に係る発明によれば、第２レール取付台５Ｂをガイドレール６と直交する方向に変位可能に基板４上に取り付けているから、グリップ３の切断を行うシャフト２部分の径が変更されたり、またそのシャフト２部分がテーパ状に形成されている場合でも、グリップ３をその先端部３ａからグリップエンド３ｂまで適切に切断できる。
【００１３】
請求項３に係る発明によれば、可動台８と第１レール取付台５Ａとの対向部分に、可動台８が第１レール取付台５Ａに当接した待機位置で磁気吸引力により互いに吸着して可動台８をその位置に保持するための磁石２３を設けているから、可動台８を待機位置で確実に保持することができる。
【００１４】
請求項４に係る発明によれば、シャフト保持手段９の支持ブロック１０には可動台８を第１レール取付台５Ａに当接させた待機位置で可動台８から突出する切断刃７の刃先部７ａを収納する凹部２５を設たことにより、可動台８の待機位置では切断刃７の刃先部７ａを凹部２５に収納することができるから、過って手指を刃先部７ａでケガするようなことがなく、安全性を確保できる。
【００１５】
請求項５に係る発明によれば、シャフト保持手段９の支持ブロック１０が、グリップ３の先方側シャフト２部分を載置する台座部１０ａと、台座部１０ａのガイドレール６側寄りの端部から立ち上がって、シャフト２部分の側面部を支持する立上壁部１０ｂとからなるため、グリップ３の先方側シャフト２部分を的確に支持できると共にガイドレール６側と反対側方向には自由に変位させることができる。
【００１６】
請求項６に係る発明によれば、可動台８にはスライド操作するための把手２１を設けているから、スライド操作を的確且つ安全に行うことができる。
【図面の簡単な説明】
【００１７】
【図１】(a) は本発明に係るグリップカッターを示す斜視図、(b) は同グリップカッターの一端部側を下方より見た底面図である。
【図２】(a) は同上のグリップカッターの平面図、(b) は正面図である。
【図３】(a) はゴルフクラブのグリップを切断している状態でのグリップカッターの平面図、(b) は正面図である。
【図４】(a) は第２レール取付台をガイドレールと直交する方向に変位させながらグリップを切断している状態でのグリップカッターの平面図、(b) は(a) の矢印Ｘ−Ｘ線拡大断面図、(c) は切断刃を示す平面図である。
【図５】ハンドグリップカッターでゴルフクラブのグリップを切断している状態を示す斜視図である。
【発明を実施するための形態】
【００１８】
以下に本発明に係るグリップカッターの好適な実施形態を図面に基づいて説明すると、図１〜図４において、４は長方形状の基板で、この基板４上の両端部には第１レール取付台５Ａ及び第２レール取付台５Ｂが設けられ、両レール取付台５Ａ，５Ｂ間にガイドレール６の両端部が固定され、このガイドレール６には、切断刃７を保持して基板４上を摺動する可動台８がスライド自在に取り付けられている。また基板４上には、ガイドレール６に沿った位置で可動台８上の切断刃７が突出する側にゴルフクラブ１のシャフト２のグリップ３部分をガイドレール６と平行に保持するシャフト保持手段９が設けられ、このシャフト保持手段９は、第１レール取付台５Ａ側近傍でグリップ３より先方側シャフト２部分を載せて支持する支持ブロック１０と、第２レール取付台５Ｂ側近傍でグリップ３のグリップエンド３ｂ中央部の空気抜き孔３ｏに係合ピン１１を係合させてグリップエンド３ｂを固定する固定ブロック１２とからなる。
【００１９】
上記グリップカッターの構造につき更に詳しく説明すれば、第１レール取付台５Ａは、例えば合成樹脂によって直方体状に形成されたもので、図２の(a) 〜図４の(a) に示すように、一端部側がボルト１３により基板４上に軸支され、ボルト１３を中心に回動可能となっている。第２レール取付台５Ｂも合成樹脂で直方体状に形成されているが、これは、両レール取付台５Ａ，５Ｂ間に連結されるガイドレール６と直交する方向に変位可能に基板上に取り付けられている。即ち、この第２レール取付台５Ｂは、図４の(b) に示すように、両端側に設けたボルト挿通孔１４，１４に夫々、このボルト挿通孔１４より十分に径小のボルト１５，１５を挿通して基板４に螺着固定することにより、ガイドレール６と直交する方向及びガイドレール６の長さ方向に夫々所要量変位可能に取り付けられている。尚、図４の(b) において、１４ｏはボルト１５の頭部１５ｏが遊嵌する拡大孔部を示す。ガイドレール６は金属棒からなるもので、このガイドレール６の両端部が、第１及び第２レール取付台５Ａ，５Ｂと直交する方向に貫通してそれらに固定されている。
【００２０】
可動台８は、ガイドレール６にスライド自在に挿通支持される矩形体状の基台部８ａと、この基台部８ａの上面にガイドレール６の長さ方向に対して適当角度に傾斜した切断刃位置決め用溝部１６を形成するように一体に突設された２つの凸部８ｂ，８ｃとからなるもので、基台部８ａの上面中央部には切断刃７の中央部に設けられたピン孔１７（図４の(c) 参照）が挿通する位置決めピン１８が突設されている。切断刃７は、図４の(c) に示すように、刃本体７ｏの両端部に夫々フック状の刃先部７ａを形成している。可動台８の基台部８ａ及び凸部８ｂ，８ｃは、例えばアルミニウムにより一体に形成されている。
【００２１】
上記可動台８に切断刃７を取り付けるには、基台部８ａの上面中央部に突設された位置決めピン１８に切断刃７のピン孔１７を挿通して、この切断刃７の片側半分を切断刃位置決め用溝部１６に係合させることにより、この片側半分と反対側にある刃先部７ａが基台部８ａの一側端からシャフト保持手段９側へ突出するから、この状態で切断刃７の反対側部分に刃押え板１９を載せて、この刃押え板１９を基台部８ａに対しボルト２０止めすることにより、切断刃７を可動台８に取り付け固定する。切断刃７の一方の刃先部７ａが破損した時は、この切断刃７を裏返しにして反転させた状態で基台部８ａに取り付ければ、他方の刃先部７ａを所定位置に突出させて使用することができる。
【００２２】
また、可動台８には、この可動台８をガイドレール６に沿ってスライド操作するための把手２１が凸部８ｂに突設されている。また、基台部８ａの一側端からシャフト保持手段９側へ突出している切断刃７の刃先部７ａに手指を触れてケガをしないようするために、可動台８の上端部にガードプレート２２が取り付けられる。このガードプレート２２は、透明のプラスチック板からなるもので、凸部８ｂ，８ｃの上面に固定される。尚、図２の(a) 及び図３の(a) にはガードプレート２２を全て仮想線で示している。
【００２３】
また、可動台８と第１レール取付台５Ａとの対向部分には、図１の(a) 〜図４の(a) に示すように、可動台８が第１レール取付台５Ａに当接した待機位置で磁気吸引力により互いに吸着して可動台８をその待機位置に保持するすように、磁石片（永久磁石）２３と鉄片などの磁性片２４が設けられている。この実施形態の場合、第１レール取付台５Ａ側に磁石片２３が取り付けられ、可動台８側に鉄片などの磁性片２４が取り付けられる。尚、この磁石片２３と磁性片２４との磁気吸引力が強すぎると、切断開始時に可動台８を第１レール取付台５Ａから引き離し難くなるため、磁石片２３の磁力は、第１レール取付台５Ａ側を上にして基板４を持ち上げた時に可動台８が落下しない程度とする。
【００２４】
前記シャフト保持手段９の支持ブロック１０は、図１の(a) から分かるように、ゴルフクラブ１のグリップ３より先方側シャフト２部分を載置する台座部１０ａと、この台座部１０ａのガイドレール６側寄りの端部から立ち上がって、前記シャフト２部分の側面部を支持する立上壁部１０ｂとによって構成されている。そして、この支持ブロック１０の立ち上がり壁部１０ｂには、可動台８を第１レール取付台５Ａに当接支持させた待機位置で可動台８から突出する切断刃７の刃先部７ａを収納する収納凹部２５が設けられている。この支持ブロック１０の台座部１０ａと立上壁部１０ｂとは例えばアルミニウムで一体に形成されている。
【００２５】
シャフト保持手段９の固定ブロック１２は、例えばアルミニウムで直方体に形成されたブロック本体１２ａの前端面上部に、例えば鋼製の係合ピン１１を突設してなるもので、係合ピン１１が、前記シャフト保持手段９に保持されるグリップ３のグリップエンド３ｂ中央部に設けてある空気抜き孔３ｏに係合するようになっている。
【００２６】
図１の(a) ，(b) 、図２の(b) 及び図３の(b) において、２６は基板４下面の一端側に基板４長手方向と直交するように取り付けられた位置規制板で、このグリップカッターを角テーブルＴ上で使用する場合に、基板４をテーブルＴ上に載置して、位置規制板２６をテーブルＴの端面に当て付けることにより、基板４を位置規制して安定状態に保持することができる。また２７はグリップカッターを持ち運ぶ際に使用するＵ字形把手である。
【００２７】
図３の(a) ，(b) は上述したような構成よりなるグリップカッターの使用状態を示す。ここに例示するゴルフクラブ１のグリップ３は、合成ゴム製のもので、外径が均一なシャフト２の基端部側に嵌着されており、その厚さは、先端部３ａからグリップエンド３ｂにかけて漸次厚くなっている。
【００２８】
このゴルフクラブ１のグリップ３を切断するにあたって、先ず、図３の(a) ，(b) に示すように、シャフト２のグリップ３部分をシャフト保持手段９によって保持する。即ち、グリップ３より先方側シャフト２部分を支持ブロック１０の台座部１０ａ上に載せた状態で、グリップエンド３ｂの空気抜き孔３ｏに固定ブロック１２の係合ピン１１を係合させることによって、シャフト２のグリップ３部分を固定する。この時、可動台８は、図３の(a) ，(b) に示すように第１レール取付台５Ａに当接した待機位置にあって、切断刃７の刃先部７ａは支持ブロック１０の収納凹部２５に収納されている。またこの可動台８は、第１レール取付台５Ａ側の磁石片２３と可動台８側の磁性片２４との磁気吸引力によって待機位置に保持されている。
【００２９】
上記のようにシャフト２のグリップ３部分をシャフト保持手段９によって保持した状態で、可動台８を前記磁気吸引力に抗して第１レール取付台５Ａから引き離し、図３の(a) に示すように切断刃７のフック状刃先部７ａをグリップ３の先端部３ａに食い付かせ、そしてこの刃先部７ａの先端をシャフト２に軽く添接させながら、可動台８をガイドレール６に沿って第２レール取付台５Ｂ側へとスライドさせることにより、グリップ３の片側をその先端部３ａからグリップエンド３ｂまで直線状に一気に切断することができる。こうしてグリップ３の片側をグリップエンド３ｂまで切断したならば、シャフト２を軸芯周りに反転させて、既切断部の直径方向反対側を同じ様に切断した後、この切断したグリップ３をシャフト２から引き剥がすことで、グリップ３を簡単に取り外すことができる。
【００３０】
この切断作業において、可動台８をスライド操作する時には、可動台８に取り付けてある把手２１を一方の手で掴むことにより、そのスライド操作を的確且つ安全に行うことができる。またこの切断作業において、グリップエンド３ｂ部分が固定ブロック１２で固定されているが、支持ブロック１０で支持されているグリップ３の先方側シャフト２部分は、台座部１０ａ上で立上壁部１０ｂから離れる方へ移動自在であるから、そのシャフト２部分を他方の手で軽く保持しながら作業を行うようにする。即ち、切断中に切断刃７の刃先部７ａ先端をシャフト２の側面に添接させる、つまり軽く押し付ける際は、シャフト２部分を掴んだ手でシャフト２に対する刃先部７ａの押し付け力を適宜加減すればよい。
【００３１】
図３では、グリップ３のシャフト２部分が或る一定の径で、その長さ方向に一様である場合を示しているが、この発明のグリップカッターは、第２レール取付台５Ｂをガイドレール６と直交する方向に変位可能に基板４上に取り付けているため、グリップ３の切断を行うシャフト２部分の径が太くなったり、細くなったり、またそのシャフト２部分がテーパ状に形成されたものであっても、そのグリップ３を適切に切断することができる。図４の(a) は、グリップ３のシャフト２部分がテーパ状に形成されている場合のグリップ３の切断動作を示す。
【００３２】
即ち、図４の(a) に例示するゴルフクラブ１のシャフト２は、グリップ３の先端側からグリップエンド３ｂにかけて径が漸次太くなるテーパ状を成している。グリップ３自体も先端側からグリップエンド３ｂにかけて漸次径太のテーパ状である。しかして、このグリップ３の切断にあたっては、図３の説明と同様に、グリップ３より先方側シャフト２部分を支持ブロック１０の台座部１０ａ上に載せた状態で、グリップエンド３ｂの空気抜き孔３ｏに固定ブロック１２の係合ピン１１を係合させることにより、シャフト２のグリップ３部分を固定する。こうしてシャフト２のグリップ３部分をシャフト保持手段９により保持した状態で、切断刃７の刃先部７ａをグリップ３の先端部３ａに食い付かせ、この刃先部７ａの先端をシャフト２に軽く添接させながら、可動台８をガイドレール６に沿って第２レール取付台５Ｂ側へとスライドさせていくが、この際、可動台８を動かす手で、シャフト２に接触する刃先部７ａの圧力を加減しながら、シャフト２の径が太くなるに従ってシャフト２から離れる方向へ可動台８を押すようにすれば、ガイドレール６が図４の(a) の仮想線図示のようにシャフト２から離れる方向に変位するから、このグリップ３をその先端部３ａからグリップエンド３ｂまで直線状に的確にして且つ安全に切断することができる。
【００３３】
また、グリップ３の切断を行うシャフト２部分の径が太い場合にも、上記同様にガイドレール６がシャフト２から離れる方向に変位するわけであるが、この場合は、ガイドレール６がシャフト２から離れる方向に変位すると同時に、グリップ３の先方側シャフト２部分が、台座部１０ａ上において、立上壁部１０ｂから離れる方向、つまりガイドレール６と反対側へ変位するから、上記同様にグリップ３をその先端部３ａからグリップエンド３ｂまで直線状に的確且つ安全に切断することができる。
【符号の説明】
【００３４】
１            ゴルフクラブ
２            シャフト
３            グリップ
３ａ          グリップの先端部
３ｂ          グリップエンド
３ｏ          空気抜き孔
４            基板
５Ａ          第１レール取付台
５Ｂ          第２レール取付台
６            ガイドレール
７            切断刃
７ａ          刃先部
８            可動台
９            シャフト保持手段
１０          支持ブロック
１１          係合ピン
１２          固定ブロック
【図１】
0005457385.tif 000002
【図２】
0005457385.tif 000003
【図３】
0005457385.tif 000004
【図４】
0005457385.tif 000005
【図５】
0005457385.tif 000006